(57)【要約】【課題】磁気転写用ディスクのサーボ信号を評価する際に、モジュレーション、タイミングアシンメトリ、及びサブパルス等の特性を定量的に求める。【解決手段】基準となる磁気ディスクに基準のサーボ信号を書き込み後、このサーボ信号を読み出し、上限周波数の１０倍以上のサンプリング周波数でサーボ信号データを取り込み、信号データの最大振幅値を求め、この半分の値を閾値とし、この閾値以上の信号データの絶対値の平均値Ａｖ１を得、評価対象の磁気転写用ディスクよりサンプリング周波数で所定範囲のサーボ信号を読み出し、読み出したサーボ信号データの最大振幅値を求め、この半分の値を閾値とし、この閾値以上の信号データの絶対値の平均値Ａｖ２を得、平均値Ａｖ２と平均値Ａｖ１との比Ａｖ２／Ａｖ１により評価対象の磁気転写用ディスクの良否を判定する。【選択図】      図１
2006294117.tif 000002
【特許請求の範囲】
【請求項１】
表面にサーボ信号のパターンが形成された磁気転写用ディスクを回転させながら磁気ヘッドを使用して前記サーボ信号の波形特性を読み出し、該波形特性を評価する磁気転写用ディスクのサーボ信号評価方法において、
基準となる磁気ディスクに前記磁気ヘッドにより基準のサーボ信号を書き込み後、該磁気ディスクより書き込まれた前記サーボ信号を前記磁気ヘッドにより読み出し、
読み出した前記サーボ信号に含まれる上限周波数の１０倍以上のサンプリング周波数で前記サーボ信号データを取り込むステップと、
取り込んだ前記サーボ信号データから、該サーボ信号データの最大振幅値を求め、該最大振幅値の半分の値を閾値とし、該閾値以上の信号データの絶対値の平均値Ａｖ１を得るステップと、
評価対象の磁気転写用ディスクより前記磁気ヘッドにより前記サンプリング周波数で所定範囲のサーボ信号を読み出すステップと、
読み出した前記サーボ信号データから、該サーボ信号データの最大振幅値を求め、該最大振幅値の半分の値を閾値とし、該閾値以上の信号データの絶対値の平均値Ａｖ２を得るステップと、
前記平均値Ａｖ２と平均値Ａｖ１との比Ａｖ２／Ａｖ１により前記評価対象の磁気転写用ディスクの良否を判定するステップと、
を備えることを特徴とする磁気転写用ディスクのサーボ信号評価方法。
【請求項２】
表面にサーボ信号のパターンが形成された磁気転写用ディスクを回転させながら磁気ヘッドを使用して前記サーボ信号の波形特性を読み出し、該波形特性を評価する磁気転写用ディスクのサーボ信号評価方法において、
基準となる磁気ディスクに前記磁気ヘッドにより基準のサーボ信号を書き込み後、該磁気ディスクより書き込まれた前記サーボ信号を前記磁気ヘッドにより読み出し、
読み出した前記サーボ信号に含まれる上限周波数の１０倍以上のサンプリング周波数で前記サーボ信号データを取り込むステップと、
取り込んだ前記サーボ信号データから、該サーボ信号データの最大振幅値を求め、該最大振幅値の半分の値を閾値とし、該閾値以上の信号データの絶対値の最大値Ｍ１と絶対値の最小値ｍ１とを得るステップと、
Ｋを任意の実数とした場合に、
Ｍｄ１＝Ｋ（（Ｍ１−ｍ１）／（Ｍ１＋ｍ１））
により、モジュレーションＭｄ１を求めるステップと、
評価対象の磁気転写用ディスクより前記磁気ヘッドにより前記サンプリング周波数で所定範囲のサーボ信号を読み出すステップと、
読み出した前記サーボ信号データから、該サーボ信号データの最大振幅値を求め、該最大振幅値の半分の値を閾値とし、該閾値以上の信号データの絶対値の最大値Ｍ２と絶対値の最小値ｍ２とを得るステップと、
Ｋを任意の実数とした場合に、
Ｍｄ２＝Ｋ（（Ｍ２−ｍ２）／（Ｍ２＋ｍ２））
により、モジュレーションＭｄ２を求めるステップと、
前記モジュレーションＭｄ２とモジュレーションＭｄ１との比Ｍｄ２／Ｍｄ１により前記評価対象の磁気転写用ディスクの良否を判定するステップと、
を備えることを特徴とする磁気転写用ディスクのサーボ信号評価方法。
【請求項３】
表面にサーボ信号のパターンが形成された磁気転写用ディスクを回転させながら磁気ヘッドを使用して前記サーボ信号の波形特性を読み出し、該波形特性を評価する磁気転写用ディスクのサーボ信号評価方法において、
基準となる磁気ディスクに前記磁気ヘッドにより基準のサーボ信号を書き込み後、該磁気ディスクより書き込まれた前記サーボ信号を前記磁気ヘッドにより読み出し、
読み出した前記サーボ信号に含まれる上限周波数の１０倍以上のサンプリング周波数で前記サーボ信号データを取り込むステップと、
取り込んだ前記サーボ信号データから、該サーボ信号データの正の値の振幅値の平均値Ａｖ２１、及び、該サーボ信号データの負の値の振幅値の平均値Ａｖ２２を得るステップと、
前記平均値Ａｖ２１と平均値Ａｖ２２との比Ａｖ２１／Ａｖ２２を算出するステップと、
評価対象の磁気転写用ディスクより前記磁気ヘッドにより前記サンプリング周波数で所定範囲のサーボ信号を読み出すステップと、
読み出した前記サーボ信号データから、該サーボ信号データの正の値の振幅値の平均値Ａｖ２３、及び、該サーボ信号データの負の値の振幅値の平均値Ａｖ２４を得るステップと、
前記平均値Ａｖ２３と平均値Ａｖ２４との比Ａｖ２３／Ａｖ２４を算出するステップと、
前記比Ａｖ２３／Ａｖ２４と比Ａｖ２１／Ａｖ２２との比（Ａｖ２３／Ａｖ２４）／（Ａｖ２１／Ａｖ２２）により前記評価対象の磁気転写用ディスクの良否を判定するステップと、
を備えることを特徴とする磁気転写用ディスクのサーボ信号評価方法。
【請求項４】
表面にサーボ信号のパターンが形成された磁気転写用ディスクを回転させながら磁気ヘッドを使用して前記サーボ信号の波形特性を読み出し、該波形特性を評価する磁気転写用ディスクのサーボ信号評価方法において、
基準となる磁気ディスクに前記磁気ヘッドにより基準のサーボ信号を書き込み後、該磁気ディスクより書き込まれた前記サーボ信号を前記磁気ヘッドにより読み出し、
読み出した前記サーボ信号に含まれる上限周波数の１０倍以上のサンプリング周波数で前記サーボ信号データを取り込むステップと、
取り込んだ前記サーボ信号データから、該サーボ信号データの正の値の波形の各ピークのサーボ位置情報を得、該正の値の波形の隣接するピーク同士の中間位置のサーボ位置情報Ｐ（ｎ）（ｎ＝０、１、２…Ｎ）を算出するとともに、該サーボ信号データの負の値の波形の各ピークのサーボ位置情報Ｎ（ｎ）（ｎ＝０、１、２…Ｎ）を得るステップと、
隣接する前記サーボ位置情報Ｐ（ｎ）（ｎ＝０、１、２…Ｎ）及びＮ（ｎ）（ｎ＝０、１、２…Ｎ）同士の差の絶対値｜Ｐ（ｎ）−Ｎ（ｎ）｜（ｎ＝０、１、２…Ｎ）の平均値ＡｖＰＮを算出するステップと、
評価対象の磁気転写用ディスクより前記磁気ヘッドにより前記サンプリング周波数で所定範囲のサーボ信号を読み出すステップと、
読み出した前記サーボ信号データから、該サーボ信号データの正の値の波形の各ピークのサーボ位置情報を得、該正の値の波形の隣接するピーク同士の中間位置のサーボ位置情報ｐ（ｎ）（ｎ＝０、１、２…Ｎ）を算出するとともに、該サーボ信号データの負の値の波形の各ピークのサーボ位置情報ｎ（ｎ）（ｎ＝０、１、２…Ｎ）を得るステップと、
隣接する前記サーボ位置情報ｐ（ｎ）（ｎ＝０、１、２…Ｎ）及びｎ（ｎ）（ｎ＝０、１、２…Ｎ）同士の差の絶対値｜ｐ（ｎ）−ｎ（ｎ）｜（ｎ＝０、１、２…Ｎ）の平均値Ａｖｐｎを算出するステップと、
前記平均値Ａｖｐｎと平均値ＡｖＰＮとの比Ａｖｐｎ／ＡｖＰＮにより前記評価対象の磁気転写用ディスクの良否を判定するステップと、
を備えることを特徴とする磁気転写用ディスクのサーボ信号評価方法。
【請求項５】
表面にサーボ信号のパターンが形成された磁気転写用ディスクを回転させながら磁気ヘッドを使用して前記サーボ信号の波形特性を読み出し、該波形特性を評価する磁気転写用ディスクのサーボ信号評価方法において、
基準となる磁気ディスクに前記磁気ヘッドにより基準のサーボ信号を書き込み後、該磁気ディスクより書き込まれた前記サーボ信号を前記磁気ヘッドにより読み出し、
読み出した前記サーボ信号に含まれる上限周波数の１０倍以上のサンプリング周波数で前記サーボ信号データを取り込むステップと、
取り込んだ前記サーボ信号データから、該サーボ信号データの最大振幅値を求め、該最大振幅値の半分の値を閾値とし、隣接する該閾値以上のセクター信号同士の間隔Ｇ（ｎ）（ｎ＝０、１、２…Ｎ）を算出し、間隔Ｇ（ｎ）の最大値ＧＭ及び最小値Ｇｍを得るステップと、
Ｋを任意の実数とした場合に、
Ｇｄ＝Ｋ（（ＧＭ−Ｇｍ）／（ＧＭ＋Ｇｍ））
により、ピッチ変動率Ｇｄを求めるステップと、
評価対象の磁気転写用ディスクより前記磁気ヘッドにより前記サンプリング周波数で所定範囲のサーボ信号を読み出すステップと、
読み出した前記サーボ信号データから、該サーボ信号データの最大振幅値を求め、該最大振幅値の半分の値を閾値とし、隣接する該閾値以上のセクター信号同士の間隔ｇ（ｎ）（ｎ＝０、１、２…Ｎ）を算出し、間隔ｇ（ｎ）の最大値ｇＭ及び最小値ｇｍを得るステップと、
Ｋを任意の実数とした場合に、
ｇｄ＝Ｋ（（ｇＭ−ｇｍ）／（ｇＭ＋ｇｍ））
により、ピッチ変動率ｇｄを求めるステップと、
前記ピッチ変動率ｇｄとピッチ変動率Ｇｄとの比ｇｄ／Ｇｄにより前記評価対象の磁気転写用ディスクの良否を判定するステップと、
を備えることを特徴とする磁気転写用ディスクのサーボ信号評価方法。
【請求項６】
前記基準となる磁気ディスクと前記評価対象の磁気転写用ディスクとの同一半径位置における前記サーボ信号により前記波形特性の評価を行う請求項１〜５のいずれか１項に記載の磁気転写用ディスクのサーボ信号評価方法。
【請求項７】
前記基準となる磁気ディスクと前記評価対象の磁気転写用ディスクとの複数の同一半径位置における前記サーボ信号により前記波形特性の評価を行う請求項１〜５のいずれか１項に記載の磁気転写用ディスクのサーボ信号評価方法。
【請求項８】
表面にサーボ信号のパターンが形成された磁気転写用ディスクを回転させながら磁気ヘッドを使用して前記サーボ信号の波形特性を読み出し、該波形特性を評価する磁気転写用ディスクのサーボ信号評価方法において、
評価対象の磁気転写用ディスクより前記磁気ヘッドにより書き込まれた前記サーボ信号を読み出し、
読み出した前記サーボ信号に含まれる上限周波数の１０倍以上のサンプリング周波数で前記サーボ信号データを取り込むステップと、
取り込んだ前記サーボ信号データから、該サーボ信号データの最大振幅値を求め、該最大振幅値の半分の値を閾値とし、該閾値以上の信号データの波形の間隔が前記サーボ信号の最小周期の２倍以上の領域でピーク検出を行い、検出されたピークの数Ｈをカウントするステップと、
前記ピークの数Ｈにより前記評価対象の磁気転写用ディスクの良否を判定するステップと、
を備えることを特徴とする磁気転写用ディスクのサーボ信号評価方法。
【請求項９】
前記評価対象の磁気転写用ディスクの複数の半径位置における前記サーボ信号により前記波形特性の評価を行う請求項８に記載の磁気転写用ディスクのサーボ信号評価方法。
【請求項１０】
前記磁気転写用ディスクが磁気転写用のマスターディスクである請求項１〜９のいずれか１項に記載の磁気転写用ディスクのサーボ信号評価方法。
【発明の詳細な説明】
【技術分野】
【０００１】
本発明は、磁気転写用ディスクのサーボ信号評価方法に係り、特に、磁気転写により磁気ディスクに記録されたサーボ信号を評価するための磁気転写用ディスクのサーボ信号評価方法に関する。
【背景技術】
【０００２】
近年、急速に普及しているハードディスクドライブに使用される磁気ディスク（ハードディスク）は、磁気ディスクメーカーよりドライブメーカーに納入された後、ドライブに組み込まれる前に、フォーマット情報やアドレス情報が書き込まれるのが一般的である。この書き込みは、磁気ヘッドにより行うこともできるが、フォーマット情報やアドレス情報が書き込まれたマスターディスクより一括転写する方法が効率的であり、好ましい。
【０００３】
この一括転写する磁気転写方法は、マスターディスクと被転写用ディスク（スレーブディスク）とを密着させた状態で、片面又は両面に電磁石装置、永久磁石装置等の磁界生成手段を配設して転写用磁界を印加することにより、マスターディスクの有する情報（例えばサーボ信号）をスレーブディスクに磁気転写する。
【０００４】
ところで、磁気転写された信号波形が理想的な形状を有することは希である。実際に転写された信号波形は、モジュレーション、タイミングアシンメトリ、及びサブパルス等の形状を劣化させる特性を持つのが一般的である。
【０００５】
このようなモジュレーション、タイミングアシンメトリ、及びサブパルス等の特性を定量的に求めることにより、信号波形の劣化傾向の把握ができたり、磁気転写用ディスクの比較ができたりする。したがって、磁気転写用ディスクのサーボ信号評価は、ディスクの良否判定のために不可欠である。そのため、これを可能とする実用的な方法が求められており、これに対応する提案もなされている（特許文献１等。）。
【特許文献１】特開２００３−３０９４０号公報
【発明の開示】
【発明が解決しようとする課題】
【０００６】
しかしながら、特許文献１の提案によれば、サーボ信号の正規化された振幅値を求めたり、複数の正規化された振幅値が所定範囲にあるかを判定したりしてサーボ信号評価を行っているものの、具体的な評価方法に関する記述に乏しく、実用的なサーボ信号評価方法として不十分なことは否めない。
【０００７】
本発明は、このような事情に鑑みてなされたもので、磁気転写用ディスクのサーボ信号を評価する際に、モジュレーション、タイミングアシンメトリ、及びサブパルス等の特性を定量的に求めることが容易に、かつ精度よく行える磁気転写用ディスクのサーボ信号評価方法を提供することを目的とする。
【課題を解決するための手段】
【０００８】
請求項１に係る本発明は、前記目的を達成するために、表面にサーボ信号のパターンが形成された磁気転写用ディスクを回転させながら磁気ヘッドを使用して前記サーボ信号の波形特性を読み出し、該波形特性を評価する磁気転写用ディスクのサーボ信号評価方法において、基準となる磁気ディスクに前記磁気ヘッドにより基準のサーボ信号を書き込み後、該磁気ディスクより書き込まれた前記サーボ信号を前記磁気ヘッドにより読み出し、読み出した前記サーボ信号に含まれる上限周波数の１０倍以上のサンプリング周波数で前記サーボ信号データを取り込むステップ１と、取り込んだ前記サーボ信号データから、該サーボ信号データの最大振幅値を求め、該最大振幅値の半分の値を閾値とし、該閾値以上の信号データの絶対値の平均値Ａｖ１を得るステップ２と、評価対象の磁気転写用ディスクより前記磁気ヘッドにより前記サンプリング周波数で所定範囲のサーボ信号を読み出すステップ３と、読み出した前記サーボ信号データから、該サーボ信号データの最大振幅値を求め、該最大振幅値の半分の値を閾値とし、該閾値以上の信号データの絶対値の平均値Ａｖ２を得るステップ４と、前記平均値Ａｖ２と平均値Ａｖ１との比Ａｖ２／Ａｖ１により前記評価対象の磁気転写用ディスクの良否を判定するステップ５と、を備えることを特徴とする磁気転写用ディスクのサーボ信号評価方法を提供する。
【０００９】
請求項１に係る本発明によれば、基準となる磁気ディスクに基準のサーボ信号を書き込み後、このサーボ信号を読み出し、上限周波数の１０倍以上のサンプリング周波数でサーボ信号データを取り込み、信号データの最大振幅値を求め、この半分の値を閾値とし、この閾値以上の信号データの絶対値の平均値Ａｖ１を得、評価対象の磁気転写用ディスクよりサンプリング周波数で所定範囲のサーボ信号を読み出し、読み出したサーボ信号データの最大振幅値を求め、この半分の値を閾値とし、この閾値以上の信号データの絶対値の平均値Ａｖ２を得、平均値Ａｖ２と平均値Ａｖ１との比Ａｖ２／Ａｖ１により評価対象の磁気転写用ディスクの良否を判定する。
【００１０】
このようなサーボ信号評価方法を採用することにより、モジュレーション、タイミングアシンメトリ、及びサブパルス等の特性を定量的に求めることが容易に、かつ精度よく行える。
【００１１】
請求項２に係る本発明は、表面にサーボ信号のパターンが形成された磁気転写用ディスクを回転させながら磁気ヘッドを使用して前記サーボ信号の波形特性を読み出し、該波形特性を評価する磁気転写用ディスクのサーボ信号評価方法において、基準となる磁気ディスクに前記磁気ヘッドにより基準のサーボ信号を書き込み後、該磁気ディスクより書き込まれた前記サーボ信号を前記磁気ヘッドにより読み出し、読み出した前記サーボ信号に含まれる上限周波数の１０倍以上のサンプリング周波数で前記サーボ信号データを取り込むステップ１１と、取り込んだ前記サーボ信号データから、該サーボ信号データの最大振幅値を求め、該最大振幅値の半分の値を閾値とし、該閾値以上の信号データの絶対値の最大値Ｍ１と絶対値の最小値ｍ１とを得るステップ１２と、Ｋを任意の実数とした場合に、Ｍｄ１＝Ｋ（（Ｍ１−ｍ１）／（Ｍ１＋ｍ１））により、モジュレーションＭｄ１を求めるステップ１３と、評価対象の磁気転写用ディスクより前記磁気ヘッドにより前記サンプリング周波数で所定範囲のサーボ信号を読み出すステップ１４と、読み出した前記サーボ信号データから、該サーボ信号データの最大振幅値を求め、該最大振幅値の半分の値を閾値とし、該閾値以上の信号データの絶対値の最大値Ｍ２と絶対値の最小値ｍ２とを得るステップ１５と、Ｋを任意の実数とした場合に、Ｍｄ２＝Ｋ（（Ｍ２−ｍ２）／（Ｍ２＋ｍ２））により、モジュレーションＭｄ２を求めるステップ１６と、前記モジュレーションＭｄ２とモジュレーションＭｄ１との比Ｍｄ２／Ｍｄ１により前記評価対象の磁気転写用ディスクの良否を判定するステップ１７と、を備えることを特徴とする磁気転写用ディスクのサーボ信号評価方法を提供する。
【００１２】
請求項２に係る本発明によれば、基準となる磁気ディスクに基準のサーボ信号を書き込み後、このサーボ信号を読み出し、上限周波数の１０倍以上のサンプリング周波数でサーボ信号データを取り込み、信号データの最大振幅値を求め、この半分の値を閾値とし、この閾値以上の信号データの絶対値の最大値Ｍ１と絶対値の最小値ｍ１とを得、Ｍｄ１＝Ｋ（（Ｍ１−ｍ１）／（Ｍ１＋ｍ１））により、モジュレーションＭｄ１を求め、評価対象の磁気転写用ディスクよりサンプリング周波数で所定範囲のサーボ信号を読み出し、読み出したサーボ信号データの最大振幅値を求め、この半分の値を閾値とし、この閾値以上の信号データの絶対値の最大値Ｍ２と絶対値の最小値ｍ２とを得、Ｍｄ２＝Ｋ（（Ｍ２−ｍ２）／（Ｍ２＋ｍ２））により、モジュレーションＭｄ２を求め、モジュレーションＭｄ２とモジュレーションＭｄ１との比Ｍｄ２／Ｍｄ１により評価対象の磁気転写用ディスクの良否を判定する。
【００１３】
このようなサーボ信号評価方法を採用することにより、モジュレーション、タイミングアシンメトリ、及びサブパルス等の特性を定量的に求めることが容易に、かつ精度よく行える。
【００１４】
請求項３に係る本発明は、表面にサーボ信号のパターンが形成された磁気転写用ディスクを回転させながら磁気ヘッドを使用して前記サーボ信号の波形特性を読み出し、該波形特性を評価する磁気転写用ディスクのサーボ信号評価方法において、基準となる磁気ディスクに前記磁気ヘッドにより基準のサーボ信号を書き込み後、該磁気ディスクより書き込まれた前記サーボ信号を前記磁気ヘッドにより読み出し、読み出した前記サーボ信号に含まれる上限周波数の１０倍以上のサンプリング周波数で前記サーボ信号データを取り込むステップ２１と、取り込んだ前記サーボ信号データから、該サーボ信号データの正の値の振幅値の平均値Ａｖ２１、及び、該サーボ信号データの負の値の振幅値の平均値Ａｖ２２を得るステップ２２と、前記平均値Ａｖ２１と平均値Ａｖ２２との比Ａｖ２１／Ａｖ２２を算出するステップ２３と、評価対象の磁気転写用ディスクより前記磁気ヘッドにより前記サンプリング周波数で所定範囲のサーボ信号を読み出すステップ２４と、読み出した前記サーボ信号データから、該サーボ信号データの正の値の振幅値の平均値Ａｖ２３、及び、該サーボ信号データの負の値の振幅値の平均値Ａｖ２４を得るステップ２５と、前記平均値Ａｖ２３と平均値Ａｖ２４との比Ａｖ２３／Ａｖ２４を算出するステップ２６と、前記比Ａｖ２３／Ａｖ２４と比Ａｖ２１／Ａｖ２２との比（Ａｖ２３／Ａｖ２４）／（Ａｖ２１／Ａｖ２２）により前記評価対象の磁気転写用ディスクの良否を判定するステップ２７と、を備えることを特徴とする磁気転写用ディスクのサーボ信号評価方法を提供する。
【００１５】
請求項３に係る本発明によれば、基準となる磁気ディスクに基準のサーボ信号を書き込み後、このサーボ信号を読み出し、上限周波数の１０倍以上のサンプリング周波数でサーボ信号データを取り込み、サーボ信号データの正の値の振幅値の平均値Ａｖ２１及び負の値の振幅値の平均値Ａｖ２２を得、これらの比Ａｖ２１／Ａｖ２２を算出し、評価対象の磁気転写用ディスクよりサンプリング周波数で所定範囲のサーボ信号を読み出し、読み出したサーボ信号データの正の値の振幅値の平均値Ａｖ２３及び負の値の振幅値の平均値Ａｖ２４を得、これらの比Ａｖ２３／Ａｖ２４を算出し、（Ａｖ２３／Ａｖ２４）／（Ａｖ２１／Ａｖ２２）により評価対象の磁気転写用ディスクの良否を判定する。
【００１６】
このようなサーボ信号評価方法を採用することにより、モジュレーション、タイミングアシンメトリ、及びサブパルス等の特性を定量的に求めることが容易に、かつ精度よく行える。
【００１７】
請求項４に係る本発明は、表面にサーボ信号のパターンが形成された磁気転写用ディスクを回転させながら磁気ヘッドを使用して前記サーボ信号の波形特性を読み出し、該波形特性を評価する磁気転写用ディスクのサーボ信号評価方法において、基準となる磁気ディスクに前記磁気ヘッドにより基準のサーボ信号を書き込み後、該磁気ディスクより書き込まれた前記サーボ信号を前記磁気ヘッドにより読み出し、読み出した前記サーボ信号に含まれる上限周波数の１０倍以上のサンプリング周波数で前記サーボ信号データを取り込むステップ３１と、取り込んだ前記サーボ信号データから、該サーボ信号データの正の値の波形の各ピークのサーボ位置情報を得、該正の値の波形の隣接するピーク同士の中間位置のサーボ位置情報Ｐ（ｎ）（ｎ＝０、１、２…Ｎ）を算出するとともに、該サーボ信号データの負の値の波形の各ピークのサーボ位置情報Ｎ（ｎ）（ｎ＝０、１、２…Ｎ）を得るステップ３２と、隣接する前記サーボ位置情報Ｐ（ｎ）（ｎ＝０、１、２…Ｎ）及びＮ（ｎ）（ｎ＝０、１、２…Ｎ）同士の差の絶対値｜Ｐ（ｎ）−Ｎ（ｎ）｜（ｎ＝０、１、２…Ｎ）の平均値ＡｖＰＮを算出するステップ３３と、評価対象の磁気転写用ディスクより前記磁気ヘッドにより前記サンプリング周波数で所定範囲のサーボ信号を読み出すステップ３４と、読み出した前記サーボ信号データから、該サーボ信号データの正の値の波形の各ピークのサーボ位置情報を得、該正の値の波形の隣接するピーク同士の中間位置のサーボ位置情報ｐ（ｎ）（ｎ＝０、１、２…Ｎ）を算出するとともに、該サーボ信号データの負の値の波形の各ピークのサーボ位置情報ｎ（ｎ）（ｎ＝０、１、２…Ｎ）を得るステップ３５と、隣接する前記サーボ位置情報ｐ（ｎ）（ｎ＝０、１、２…Ｎ）及びｎ（ｎ）（ｎ＝０、１、２…Ｎ）同士の差の絶対値｜ｐ（ｎ）−ｎ（ｎ）｜（ｎ＝０、１、２…Ｎ）の平均値Ａｖｐｎを算出するステップ３６と、前記平均値Ａｖｐｎと平均値ＡｖＰＮとの比Ａｖｐｎ／ＡｖＰＮにより前記評価対象の磁気転写用ディスクの良否を判定するステップ３７と、を備えることを特徴とする磁気転写用ディスクのサーボ信号評価方法を提供する。
【００１８】
請求項４に係る本発明によれば、基準となる磁気ディスクに基準のサーボ信号を書き込み後、このサーボ信号を読み出し、上限周波数の１０倍以上のサンプリング周波数でサーボ信号データを取り込み、このサーボ信号データの正の値の波形の各ピークのサーボ位置情報を得、波形の隣接するピーク同士の中間位置のサーボ位置情報を算出するとともに、サーボ信号データの負の値の波形の各ピークのサーボ位置情報を得、隣接するサーボ位置情報同士の差の絶対値の平均値ＡｖＰＮを算出し、評価対象の磁気転写用ディスクよりサンプリング周波数で所定範囲のサーボ信号を読み出し、読み出したサーボ信号データの正の値の波形の各ピークのサーボ位置情報を得、波形の隣接するピーク同士の中間位置のサーボ位置情報を算出するとともに、サーボ信号データの負の値の波形の各ピークのサーボ位置情報を得、隣接するサーボ位置情報同士の差の絶対値の平均値Ａｖｐｎを算出し、Ａｖｐｎ／ＡｖＰＮにより評価対象の磁気転写用ディスクの良否を判定する。
【００１９】
このようなサーボ信号評価方法を採用することにより、モジュレーション、タイミングアシンメトリ、及びサブパルス等の特性を定量的に求めることが容易に、かつ精度よく行える。
【００２０】
請求項５に係る本発明は、表面にサーボ信号のパターンが形成された磁気転写用ディスクを回転させながら磁気ヘッドを使用して前記サーボ信号の波形特性を読み出し、該波形特性を評価する磁気転写用ディスクのサーボ信号評価方法において、基準となる磁気ディスクに前記磁気ヘッドにより基準のサーボ信号を書き込み後、該磁気ディスクより書き込まれた前記サーボ信号を前記磁気ヘッドにより読み出し、読み出した前記サーボ信号に含まれる上限周波数の１０倍以上のサンプリング周波数で前記サーボ信号データを取り込むステップ４１と、取り込んだ前記サーボ信号データから、該サーボ信号データの最大振幅値を求め、該最大振幅値の半分の値を閾値とし、隣接する該閾値以上のセクター信号同士の間隔Ｇ（ｎ）（ｎ＝０、１、２…Ｎ）を算出し、間隔Ｇ（ｎ）の最大値ＧＭ及び最小値Ｇｍを得るステップ４２と、Ｋを任意の実数とした場合に、Ｇｄ＝Ｋ（（ＧＭ−Ｇｍ）／（ＧＭ＋Ｇｍ））により、ピッチ変動率Ｇｄを求めるステップ４３と、評価対象の磁気転写用ディスクより前記磁気ヘッドにより前記サンプリング周波数で所定範囲のサーボ信号を読み出すステップ４４と、読み出した前記サーボ信号データから、該サーボ信号データの最大振幅値を求め、該最大振幅値の半分の値を閾値とし、隣接する該閾値以上のセクター信号同士の間隔ｇ（ｎ）（ｎ＝０、１、２…Ｎ）を算出し、間隔ｇ（ｎ）の最大値ｇＭ及び最小値ｇｍを得るステップ４５と、Ｋを任意の実数とした場合に、ｇｄ＝Ｋ（（ｇＭ−ｇｍ）／（ｇＭ＋ｇｍ））により、ピッチ変動率ｇｄを求めるステップ４６と、前記ピッチ変動率ｇｄとピッチ変動率Ｇｄとの比ｇｄ／Ｇｄにより前記評価対象の磁気転写用ディスクの良否を判定するステップ４７と、を備えることを特徴とする磁気転写用ディスクのサーボ信号評価方法を提供する。
【００２１】
請求項５に係る本発明によれば、基準となる磁気ディスクに基準のサーボ信号を書き込み後、このサーボ信号を読み出し、上限周波数の１０倍以上のサンプリング周波数でサーボ信号データを取り込み、信号データの最大振幅値を求め、この半分の値を閾値とし、隣接する閾値以上のセクター信号同士の間隔を算出し、間隔の最大値ＧＭ及び最小値Ｇｍを得、Ｇｄ＝Ｋ（（ＧＭ−Ｇｍ）／（ＧＭ＋Ｇｍ））により、ピッチ変動率Ｇｄを求め、評価対象の磁気転写用ディスクよりサンプリング周波数で所定範囲のサーボ信号を読み出し、読み出したサーボ信号データの最大振幅値を求め、この半分の値を閾値とし、隣接する閾値以上のセクター信号同士の間隔を算出し、間隔の最大値ｇＭ及び最小値ｇｍを得、ｇｄ＝Ｋ（（ｇＭ−ｇｍ）／（ｇＭ＋ｇｍ））により、ピッチ変動率ｇｄを求め、比ｇｄ／Ｇｄにより評価対象の磁気転写用ディスクの良否を判定する。
【００２２】
このようなサーボ信号評価方法を採用することにより、モジュレーション、タイミングアシンメトリ、及びサブパルス等の特性を定量的に求めることが容易に、かつ精度よく行える。
【００２３】
請求項６に係る本発明は、前記基準となる磁気ディスクと前記評価対象の磁気転写用ディスクとの同一半径位置における前記サーボ信号により前記波形特性の評価を行う請求項１〜５のいずれか１項に記載の磁気転写用ディスクのサーボ信号評価方法を提供する。
【００２４】
請求項６に係る本発明によれば、基準となる磁気ディスクと評価対象の磁気転写用ディスクとの同一半径位置におけるサーボ信号により波形特性の評価を行うので、モジュレーション、タイミングアシンメトリ、及びサブパルス等の特性を定量的に求めることが容易に、かつ精度よく行える。
【００２５】
請求項７に係る本発明は、前記基準となる磁気ディスクと前記評価対象の磁気転写用ディスクとの複数の同一半径位置における前記サーボ信号により前記波形特性の評価を行う請求項１〜５のいずれか１項に記載の磁気転写用ディスクのサーボ信号評価方法を提供する。
【００２６】
請求項７に係る本発明によれば、基準となる磁気ディスクと評価対象の磁気転写用ディスクとの複数の同一半径位置におけるサーボ信号により波形特性の評価を行うので、モジュレーション、タイミングアシンメトリ、及びサブパルス等の特性を定量的に求めることが容易に、かつ精度よく行える。
【００２７】
請求項８に係る本発明は、表面にサーボ信号のパターンが形成された磁気転写用ディスクを回転させながら磁気ヘッドを使用して前記サーボ信号の波形特性を読み出し、該波形特性を評価する磁気転写用ディスクのサーボ信号評価方法において、評価対象の磁気転写用ディスクより前記磁気ヘッドにより書き込まれた前記サーボ信号を読み出し、読み出した前記サーボ信号に含まれる上限周波数の１０倍以上のサンプリング周波数で前記サーボ信号データを取り込むステップ５１と、取り込んだ前記サーボ信号データから、該サーボ信号データの最大振幅値を求め、該最大振幅値の半分の値を閾値とし、該閾値以上の信号データの波形の間隔が前記サーボ信号の最小周期の２倍以上の領域でピーク検出を行い、検出されたピークの数Ｈをカウントするステップ５２と、前記ピークの数Ｈにより前記評価対象の磁気転写用ディスクの良否を判定するステップ５３と、を備えることを特徴とする磁気転写用ディスクのサーボ信号評価方法を提供する。
【００２８】
請求項８に係る本発明によれば、評価対象の磁気転写用ディスクより書き込まれたサーボ信号を読み出し、上限周波数の１０倍以上のサンプリング周波数でサーボ信号データを取り込み、信号データの最大振幅値を求め、この半分の値を閾値とし、この閾値以上の信号データの波形の間隔がサーボ信号の最小周期の２倍以上の領域でピーク検出を行い、検出されたピークの数Ｈをカウントし、数Ｈにより評価対象の磁気転写用ディスクの良否を判定する。
【００２９】
このようなサーボ信号評価方法を採用することにより、モジュレーション、タイミングアシンメトリ、及びサブパルス等の特性を定量的に求めることが容易に、かつ精度よく行える。
【００３０】
請求項９に係る本発明は、前記評価対象の磁気転写用ディスクの複数の半径位置における前記サーボ信号により前記波形特性の評価を行う請求項８に記載の磁気転写用ディスクのサーボ信号評価方法を提供する。
【００３１】
請求項９に係る本発明によれば、評価対象の磁気転写用ディスクの複数の半径位置におけるサーボ信号により波形特性の評価を行うので、モジュレーション、タイミングアシンメトリ、及びサブパルス等の特性を定量的に求めることが容易に、かつ精度よく行える。
【００３２】
請求項１０に係る本発明は、前記磁気転写用ディスクが磁気転写用のマスターディスクである請求項１〜９のいずれか１項に記載の磁気転写用ディスクのサーボ信号評価方法を提供する。
【００３３】
請求項１０に係る本発明によれば、磁気転写用のマスターディスクのモジュレーション、タイミングアシンメトリ、及びサブパルス等の特性を定量的に求めることが容易に、かつ精度よく行える。
【発明の効果】
【００３４】
以上説明したように、本発明によれば、モジュレーション、タイミングアシンメトリ、及びサブパルス等の特性を定量的に求めることが容易に、かつ精度よく行える。
【発明を実施するための最良の形態】
【００３５】
以下、添付図面に従って、本発明に係る磁気転写用ディスクのサーボ信号評価方法の好ましい実施の形態について詳説する。
【００３６】
図１は、磁気転写用マスターディスク１０の磁性層パターンを示した図である。このマスターディスク１０の表面には、複雑な磁性層パターンにより構成されるサーボウェッジ１０Ａ、１０Ａ…（ハッチング部分）と、サーボウェッジ１０Ａ、１０Ａ…の間に形成されるギャップ１０Ｂ、１０Ｂ…と呼ばれる磁性層のない部分（白地部分）が交互に形成されている。
【００３７】
図２は、磁気転写用マスターディスク１０、又はマスターディスク１０により磁気転写磁気ディスク（スレーブディスク）を回転させ、磁気ヘッドがサーボウェッジ１０Ａ、１０Ａ…を通過するときに再生される信号の波形を示したものである。図２において、期間Ｔ１０Ａの範囲がサーボウェッジ１０Ａの１ピッチ分の信号であり、期間Ｔ１０Ｂはギャップ１０Ｂの１ピッチ分の信号（信号なし）である。
【００３８】
サーボウェッジ１０Ａの１ピッチ分の信号は、先頭（図の左）より、最初のプリアンブル５０、サーボタイミングマーク５２、セクターアドレス５４、シリンダーアドレス５６、定周期のバースト信号５８（５８Ａ、５８Ｂ、５８Ｃ、及び５８Ｄの４種よりなる）、及び最後のプリアンブル６０よりなる。
【００３９】
既述したように、磁気転写された信号波形が理想的な形状を有することは希である。実際の転写信号波形は、モジュレーション、タイミングアシンメトリ、及びサブパルス等の形状を劣化させる特性を持つ。
【００４０】
このうち、モジュレーションとは、信号の包絡線がうねりを持つ現象を指す。このモジュレーションの主な原因は、転写時のマスタディスク１０とスレーブディスクとの間の隙間の不規則性（うねり）と考えられている。
【００４１】
タイミングアシンメトリとは、パルス波形の負のピーク位置が、時間的に前後に隣合う正のピークの中心からずれる現象を指す。このタイミングアシンメトリの主な原因は、転写信号の磁化遷移の位置が、マスタディスク１０の磁性層のエッジよりやや内側にずれる性質に基くと考えられている。このタイミングアシンメトリは、信号の高調波成分を増加させ、相対的に低周波成分を減少させるため有害なものである。
【００４２】
サブパルスとは、パルス波形の正・負のピークの間に偽のパルスが生ずる現象を指す。このサブパルスは、振幅値が本来のパルスの振幅値に対して、どの程度であるかが重要である。この理由は、サブパルスの振幅値が本来のパルスの振幅値に対して無視できないレベルになると、本来のパルスとの見分けがつきにくくなるためである。このサブパルスが発生する原因は、磁性層パターンの形状、転写磁界の強度等の様々な要素によると考えられている。
【００４３】
次に、磁気転写の概要について説明する。図３は磁気転写用マスターディスク１０を使用して磁気転写を行うための磁気転写装置２０の要部斜視図である。
【００４４】
磁気転写時には図５（ａ）に示される後述する初期直流磁化を行った後のスレーブディスク１４のスレーブ面（磁気記録面）を、マスターディスク１０の情報担持面１３に接触させ、所定の押圧力で密着させる。そして、このスレーブディスク１４とマスターディスク１０との密着状態で、磁界生成手段３０により転写用磁界を印加して、マスターディスク１０の凹凸パターンＰをスレーブディスク１４に転写する。
【００４５】
スレーブディスク１４は、両面又は片面に磁気記録層が形成されたハードディスク、フレキシブルディスク等の円盤状記録媒体であり、マスターディスク１０に密着させる以前に、グライドヘッド、研磨体などにより表面の微小突起及び付着塵埃を除去するクリーニング処理（バーニッシィング等）が必要に応じて施される。
【００４６】
スレーブディスク１４の磁気記録層には、塗布型磁気記録層、メッキ型磁気記録層、又は金属薄膜型磁気記録層を採用できる。金属薄膜型磁気記録層の磁性材料としては、Ｃｏ、Ｃｏ合金（ＣｏＰｔＣｒ、ＣｏＣｒ、ＣｏＰｔＣｒＴａ、ＣｏＰｔＣｒＮｂＴａ、ＣｏＣｒＢ、ＣｏＮｉ等）、Ｆｅ、Ｆｅ合金（ＦｅＣｏ、ＦｅＰｔ、ＦｅＣｏＮｉ等）、Ｎｉ、Ｎｉ合金（ＮｉＦｅ等）、を用いることができる。
【００４７】
これらは磁束密度が大きいこと、磁界印加方向と同じ方向（面内記録なら面内方向）の磁界異方性を有していることにより、明瞭な転写を行えるため好ましい。そして、磁性材料の下（支持体側）に必要な磁気異方性を付与するために、非磁性の下地層を設けることが好ましい。この下地層には、結晶構造と格子定数を磁性層１２に合わすことが必要である。その為には、Ｃｒ、ＣｒＴｉ、ＣｏＣｒ、ＣｒＴａ、ＣｒＭｏ、ＮｉＡｌ、Ｒｕ等を用いることが好ましい。
【００４８】
マスターディスク１０による磁気転写は、スレーブディスク１４の片面にマスターディスク１０を密着させて片面に転写を行う場合と、図示しないが、スレーブディスク１４の両面に一対のマスターディスク１０を密着させて両面で同時転写を行う場合とがある。
【００４９】
転写用磁界を印加する磁界生成手段３０は、密着保持されたスレーブディスク１４とマスターディスク１０の半径方向に延びるギャップ３１を有するコア３２にコイル３３が巻き付けられた電磁石装置３４、３４が上下両側に配設されており、上下で同じ方向にトラック方向と平行な磁力線Ｇ（図４参照）を有する転写用磁界を印加する。図４は、円周トラック１４Ａ、１４Ａ…と磁力線Ｇとの関係を示したものである。
【００５０】
磁界印加時には、スレーブディスク１４とマスターディスク１０とを一体的に回転させつつ磁界生成手段３０によって転写用磁界を印加させ、マスターディスク１０の凹凸パターンをスレーブディスク１４のスレーブ面に磁気的に転写する。なお、この構成以外に磁界生成手段の方を回転移動させるようにしてもよい。
【００５１】
転写用磁界は、最適転写磁界強度範囲（スレーブディスク１４の保磁力Ｈｃの０．６〜１．３倍）の最大値を超える磁界強度がトラック方向のいずれにも存在せず、最適転写磁界強度範囲内の磁界強度となる部分が１つのトラック方向で少なくとも１カ所以上存在し、これと逆向きのトラック方向の磁界強度が何れのトラック方向位置においても最適転写磁界強度範囲内の最小値未満である磁界強度分布の磁界をトラック方向の一部分で発生させている。
【００５２】
図５は、面内記録による磁気転写方法の基本工程を説明する説明図である。先ず、図５（ａ）に示されるように、予めスレーブディスク１４に初期磁界Ｈi をトラック方向の一方向に印加して初期磁化（直流消磁）を施しておく。
【００５３】
次に、図５（ｂ）に示されるように、このスレーブディスク１４の記録面（磁気記録部）とマスターディスク１０の凹凸パターンＰが形成された情報担持面１３とを密着させ、スレーブディスク１４のトラック方向に初期磁界Ｈi とは逆方向に転写用磁界Ｈd を印加して磁気転写を行う。転写用磁界Ｈd が凹凸パターンＰの凸部の磁性層１２に吸い込まれてこの部分の磁化は反転せず、その他の部分の磁界が反転する結果、図５（ｃ）に示されるように、スレーブディスク１４の磁気記録面にはマスターディスク１０の凹凸パターンＰが磁気的に転写記録される。
【００５４】
次に、マスターディスク１０（又はスレーブディスク１４）のサーボ信号の評価を行うための構成について説明する。
【００５５】
マスターディスク１０はスピンドルモータの軸に取り付けられ、所定の速度（回転数）で回転されるようになっている。マスターディスク１０の表面に所定のフライングハイトで近接して磁気ヘッドが設けられる。この磁気ヘッドは、ポジショナにより所定の位置に移動可能となっている。この磁気ヘッドは、記録・再生を行うためのものである。
【００５６】
磁気ヘッドには、パルス発生器からの記録電流（パルス信号）が加えられるようになっている。この記録電流（パルス信号）には、デューティ５０％の方形波信号が採用される。
【００５７】
また、磁気ヘッドには、シンクロスコープが接続されており、磁気ヘッドからのリード信号波形がシンクロスコープのディスプレイに表示されるようになっている。このシンクロスコープには、更にスピンドルモータが接続されており、スピンドルモータの回転子が所定の回転角にあるときに出力するインデックス信号がトリガ信号として入力されるようになっている。
【００５８】
以上の構成の装置により、マスターディスク１０（又はスレーブディスク１４）のサーボ信号の評価が行われる。
【００５９】
次に、本発明に係る磁気転写用ディスクのサーボ信号評価方法の好ましい実施の形態（第１実施形態）について説明する。
【００６０】
先ず、基準となる磁気ディスク（スレーブディスク１４）を選定する。この選定条件として、記録面に欠陥を含まないことが重要である。
【００６１】
ステップ１として、基準となる磁気ディスクに磁気ヘッドにより基準のサーボ信号を書き込み、次いで、この磁気ディスクより書き込まれたサーボ信号を磁気ヘッドにより読み出す。そして、読み出したサーボ信号に含まれる上限周波数の１０倍以上のサンプリング周波数（すなわち、図６のグラフの周期Ｔ）でサーボ信号データを取り込む。
【００６２】
ステップ２として、取り込んだサーボ信号データから、サーボ信号データの最大振幅値（すなわち、図７（Ａ）のグラフの線Ａ）を求め、この最大振幅値の半分の値を閾値（すなわち、図７（Ｂ）のグラフの線Ｂ）とし、閾値以上の信号データの絶対値の平均値Ａｖ１を得る。
【００６３】
ステップ３として、評価対象の磁気転写用ディスク（マスターディスク１０）をスピンドルモータの軸に取り付け、この評価対象の磁気転写用ディスクより磁気ヘッドによりサンプリング周波数で所定範囲（すなわち、図８の範囲ｄ）のサーボ信号を読み出す。
【００６４】
ステップ４として、読み出したサーボ信号データから、このサーボ信号データの最大振幅値を求め、最大振幅値の半分の値を閾値とし、この閾値以上の信号データの絶対値の平均値Ａｖ２（すなわち、図９（Ａ）のＡｖ２）を得る。これを磁気転写された全てのセクターについて行う（すなわち、図９（Ｂ）のＡｖ２）。
【００６５】
ステップ５として、平均値Ａｖ２と平均値Ａｖ１との比Ａｖ２／Ａｖ１により評価対象の磁気転写用ディスクの良否を判定する。この良否の判定の基準としては、たとえば、比Ａｖ２／Ａｖ１≧０．９であれば良と判定する。
【００６６】
次に、本発明に係る磁気転写用ディスクのサーボ信号評価方法の他の好ましい実施の形態（第２実施形態）について説明する。
【００６７】
先ず、ステップ１１として、基準となる磁気ディスクに磁気ヘッドにより基準のサーボ信号を書き込み、次いで、この磁気ディスクより書き込まれたサーボ信号を磁気ヘッドにより読み出す。そして、読み出したサーボ信号に含まれる上限周波数の１０倍以上のサンプリング周波数（すなわち、図６のグラフの周期Ｔ）でサーボ信号データを取り込む。このステップは、第１実施形態のステップ１と同様である。
【００６８】
ステップ１２として、取り込んだサーボ信号データから、このサーボ信号データの最大振幅値を求め、最大振幅値の半分の値を閾値とし、この閾値以上の信号データの絶対値の最大値Ｍ１と絶対値の最小値ｍ１とを得る。
【００６９】
ステップ１３として、Ｋを任意の実数とした場合に、Ｍｄ１＝Ｋ（（Ｍ１−ｍ１）／（Ｍ１＋ｍ１））により、モジュレーションＭｄ１を求める。
【００７０】
ステップ１４として、評価対象の磁気転写用ディスクより磁気ヘッドによりサンプリング周波数で所定範囲のサーボ信号を読み出す。
【００７１】
ステップ１５として、読み出したサーボ信号データから、このサーボ信号データの最大振幅値を求め、最大振幅値の半分の値を閾値とし、この閾値以上の信号データの絶対値の最大値Ｍ２と絶対値の最小値ｍ２とを得る。
【００７２】
ステップ１６として、Ｋを任意の実数とした場合に、Ｍｄ２＝Ｋ（（Ｍ２−ｍ２）／（Ｍ２＋ｍ２））により、モジュレーションＭｄ２を求める。
【００７３】
ステップ１７として、モジュレーションＭｄ２とモジュレーションＭｄ１との比Ｍｄ２／Ｍｄ１により評価対象の磁気転写用ディスクの良否を判定する。この良否の判定の基準としては、たとえば、比Ｍｄ２／Ｍｄ１≦２であれば良と判定する。
【００７４】
次に、本発明に係る磁気転写用ディスクのサーボ信号評価方法の更に他の好ましい実施の形態（第３実施形態）について説明する。
【００７５】
先ず、ステップ２１として、基準となる磁気ディスクに磁気ヘッドにより基準のサーボ信号を書き込み、次いで、この磁気ディスクより書き込まれたサーボ信号を磁気ヘッドにより読み出す。そして、読み出したサーボ信号に含まれる上限周波数の１０倍以上のサンプリング周波数（すなわち、図６のグラフの周期Ｔ）でサーボ信号データを取り込む。このステップは、第１実施形態のステップ１と同様である。
【００７６】
ステップ２２として、取り込んだサーボ信号データから、このサーボ信号データの正の値の振幅値の平均値Ａｖ２１、及び、このサーボ信号データの負の値の振幅値の平均値Ａｖ２２を得る。
【００７７】
ステップ２３として、平均値Ａｖ２１と平均値Ａｖ２２との比Ａｖ２１／Ａｖ２２を算出する。
【００７８】
ステップ２４として、評価対象の磁気転写用ディスクより磁気ヘッドによりサンプリング周波数で所定範囲のサーボ信号を読み出す。
【００７９】
ステップ２５として、読み出したサーボ信号データから、このサーボ信号データの正の値の振幅値の平均値Ａｖ２３、及び、このサーボ信号データの負の値の振幅値の平均値Ａｖ２４を得る。
【００８０】
ステップ２６として、平均値Ａｖ２３と平均値Ａｖ２４との比Ａｖ２３／Ａｖ２４を算出する。
【００８１】
ステップ２７として、比Ａｖ２３／Ａｖ２４と比Ａｖ２１／Ａｖ２２との比（Ａｖ２３／Ａｖ２４）／（Ａｖ２１／Ａｖ２２）により評価対象の磁気転写用ディスクの良否を判定する。この良否の判定の基準としては、たとえば、０．９≦（Ａｖ２３／Ａｖ２４）／（Ａｖ２１／Ａｖ２２）≦１．１であれば良と判定する。
【００８２】
次に、本発明に係る磁気転写用ディスクのサーボ信号評価方法の更に他の好ましい実施の形態（第４実施形態）について説明する。
【００８３】
先ず、ステップ３１として、基準となる磁気ディスクに磁気ヘッドにより基準のサーボ信号を書き込み、次いで、この磁気ディスクより書き込まれたサーボ信号を磁気ヘッドにより読み出す。そして、読み出したサーボ信号に含まれる上限周波数の１０倍以上のサンプリング周波数（すなわち、図６のグラフの周期Ｔ）でサーボ信号データを取り込む。このステップは、第１実施形態のステップ１と同様である。
【００８４】
ステップ３２として、取り込んだ前記サーボ信号データから、図１０に示すように、このサーボ信号データの正の値の波形の各ピークのサーボ位置情報を得、正の値の波形の隣接するピーク同士の中間位置のサーボ位置情報Ｐ（ｎ）（ｎ＝０、１、２…Ｎ）を算出するとともに、このサーボ信号データの負の値の波形の各ピークのサーボ位置情報Ｎ（ｎ）（ｎ＝０、１、２…Ｎ）を得る。
【００８５】
ステップ３３として、隣接するサーボ位置情報Ｐ（ｎ）（ｎ＝０、１、２…Ｎ）及びＮ（ｎ）（ｎ＝０、１、２…Ｎ）同士の差の絶対値｜Ｐ（ｎ）−Ｎ（ｎ）｜（ｎ＝０、１、２…Ｎ）の平均値ＡｖＰＮを算出する。
【００８６】
ステップ３４として、評価対象の磁気転写用ディスクより磁気ヘッドによりサンプリング周波数で所定範囲のサーボ信号を読み出す。
【００８７】
ステップ３５として、読み出したサーボ信号データから、このサーボ信号データの正の値の波形の各ピークのサーボ位置情報を得、この正の値の波形の隣接するピーク同士の中間位置のサーボ位置情報ｐ（ｎ）（ｎ＝０、１、２…Ｎ）を算出するとともに、このサーボ信号データの負の値の波形の各ピークのサーボ位置情報ｎ（ｎ）（ｎ＝０、１、２…Ｎ）を得る。
【００８８】
ステップ３６として、隣接するサーボ位置情報ｐ（ｎ）（ｎ＝０、１、２…Ｎ）及びｎ（ｎ）（ｎ＝０、１、２…Ｎ）同士の差の絶対値｜ｐ（ｎ）−ｎ（ｎ）｜（ｎ＝０、１、２…Ｎ）の平均値Ａｖｐｎを算出する。
【００８９】
ステップ３７として、平均値Ａｖｐｎと平均値ＡｖＰＮとの比Ａｖｐｎ／ＡｖＰＮにより評価対象の磁気転写用ディスクの良否を判定する。この良否の判定の基準としては、たとえば、０．７≦Ａｖｐｎ／ＡｖＰＮ≦１．３であれば良と判定する。
【００９０】
次に、本発明に係る磁気転写用ディスクのサーボ信号評価方法の更に他の好ましい実施の形態（第５実施形態）について説明する。
【００９１】
先ず、ステップ４１として、基準となる磁気ディスクに磁気ヘッドにより基準のサーボ信号を書き込み、次いで、この磁気ディスクより書き込まれたサーボ信号を磁気ヘッドにより読み出す。そして、読み出したサーボ信号に含まれる上限周波数の１０倍以上のサンプリング周波数（すなわち、図６のグラフの周期Ｔ）でサーボ信号データを取り込む。このステップは、第１実施形態のステップ１と同様である。
【００９２】
ステップ４２として、取り込んだサーボ信号データから、このサーボ信号データの最大振幅値を求め、最大振幅値の半分の値を閾値とし、隣接する閾値以上のセクター信号同士の間隔Ｇ（ｎ）（ｎ＝０、１、２…Ｎ）を算出し、間隔Ｇ（ｎ）の最大値ＧＭ及び最小値Ｇｍを得る。
【００９３】
ステップ４３として、Ｋを任意の実数とした場合に、Ｇｄ＝Ｋ（（ＧＭ−Ｇｍ）／（ＧＭ＋Ｇｍ））により、ピッチ変動率Ｇｄを求める。
【００９４】
ステップ４４として、評価対象の磁気転写用ディスクより磁気ヘッドによりサンプリング周波数で所定範囲のサーボ信号を読み出す。
【００９５】
ステップ４５として、読み出したサーボ信号データから、このサーボ信号データの最大振幅値を求め、最大振幅値の半分の値を閾値とし、隣接する閾値以上のセクター信号同士の間隔ｇ（ｎ）（ｎ＝０、１、２…Ｎ）を算出し、間隔ｇ（ｎ）の最大値ｇＭ及び最小値ｇｍを得る。
【００９６】
ステップ４６として、Ｋを任意の実数とした場合に、ｇｄ＝Ｋ（（ｇＭ−ｇｍ）／（ｇＭ＋ｇｍ））により、ピッチ変動率ｇｄを求める。
【００９７】
ステップ４７として、ピッチ変動率ｇｄとピッチ変動率Ｇｄとの比ｇｄ／Ｇｄにより評価対象の磁気転写用ディスクの良否を判定する。この良否の判定の基準としては、たとえば、０．５≦ｇｄ／Ｇｄ≦１．５であれば良と判定する。
【００９８】
以上に述べた第１実施形態〜第５実施形態において、基準となる磁気ディスクと評価対象の磁気転写用ディスクとの同一半径位置におけるサーボ信号により波形特性の評価を行うことが好ましい。このような評価によれば、基準となる磁気ディスクと評価対象の磁気転写用ディスクとの同一半径位置におけるサーボ信号により波形特性の評価を行うので、モジュレーション、タイミングアシンメトリ、及びサブパルス等の特性を定量的に求めることが容易に、かつ精度よく行える。
【００９９】
また、以上に述べた第１実施形態〜第５実施形態において、基準となる磁気ディスクと評価対象の磁気転写用ディスクとの複数の同一半径位置におけるサーボ信号により波形特性の評価を行うことが好ましい。このような評価によれば、基準となる磁気ディスクと評価対象の磁気転写用ディスクとの複数の同一半径位置におけるサーボ信号により波形特性の評価を行うので、モジュレーション、タイミングアシンメトリ、及びサブパルス等の特性を定量的に求めることが容易に、かつ精度よく行える。
【０１００】
次に、本発明に係る磁気転写用ディスクのサーボ信号評価方法の更に他の好ましい実施の形態（第６実施形態）について説明する。
【０１０１】
先ず、ステップ５１として、評価対象の磁気転写用ディスクより磁気ヘッドにより書き込まれたサーボ信号を読み出し、読み出したサーボ信号に含まれる上限周波数の１０倍以上のサンプリング周波数でサーボ信号データを取り込む。
【０１０２】
ステップ５２として、取り込んだサーボ信号データから、このサーボ信号データの最大振幅値を求め、最大振幅値の半分の値を閾値とし、閾値以上の信号データの波形の間隔がサーボ信号の最小周期の２倍以上の領域でピーク検出を行い、検出されたピークの数Ｈをカウントする。
【０１０３】
ステップ５３として、ピークの数Ｈにより評価対象の磁気転写用ディスクの良否を判定する。この良否の判定の基準としては、たとえば、ピークの数Ｈが全セクター数の１０％以下であれば良と判定する。
【０１０４】
以上に述べた第６実施形態において、評価対象の磁気転写用ディスクの複数の半径位置におけるサーボ信号により波形特性の評価を行うことが好ましい。このような評価によれば、評価対象の磁気転写用ディスクの複数の半径位置におけるサーボ信号により波形特性の評価を行うので、モジュレーション、タイミングアシンメトリ、及びサブパルス等の特性を定量的に求めることが容易に、かつ精度よく行える。
【図面の簡単な説明】
【０１０５】
【図１】磁気転写用マスターディスクの磁性層パターンを示した図
【図２】磁気ヘッドがサーボウェッジを通過するときに再生される信号の波形を示した図
【図３】磁気転写装置の要部斜視図
【図４】転写用磁界の印加方法を示す平面図
【図５】磁気転写方法の基本工程を示す工程図
【図６】サーボ信号の波形を示すグラフ
【図７】サーボ信号の最大振幅値と閾値を示すグラフ
【図８】サーボ信号を読み出す範囲を示すグラフ
【図９】サーボ信号の閾値以上の信号データの絶対値の平均値を示すグラフ
【図１０】サーボ信号波形の時間軸方向の位置情報を示すグラフ
【符号の説明】
【０１０６】
１０…マスターディスク（磁気転写用マスターディスク）、１０Ａ…サーボウェッジ、１０Ｂ…ギャップ、１２…磁性層、１４…スレーブディスク、２０…磁気転写装置、Ｐ…凹凸パターン
【図１】
2006294117.tif 000003
【図２】
2006294117.tif 000004
【図３】
2006294117.tif 000005
【図４】
2006294117.tif 000006
【図５】
2006294117.tif 000007
【図６】
2006294117.tif 000008
【図７】
2006294117.tif 000009
【図８】
2006294117.tif 000010
【図９】
2006294117.tif 000011
【図１０】
2006294117.tif 000012